(57)【要約】【課題】  録画装置に記憶された映像コンテンツの再生を、複数の電子機器に対応した再生中断点から行えるようにすることが課題になっていた。【解決手段】  実施形態の電子機器は、映像コンテンツが録画された録画装置に前記映像コンテンツの再生を指示する第１の再生指示手段を備える。  また、前記映像コンテンツの再生中断を指示する中断指示手段を備える。  また、前記再生中断指示に応じて前記録画装置から出力された前記映像コンテンツの再生中断点の情報を受信し、記憶する中断点受信手段を備える。  また、記憶された前記中断点の情報を用いて、前記録画装置に前記中断点から前記映像コンテンツの再生を指示する第２の再生指示手段を備える。【選択図】  図１
2013251767.tif 000002
【特許請求の範囲】
【請求項１】
映像コンテンツが録画された録画装置に前記映像コンテンツの再生を指示する第１の再生指示手段と、
前記映像コンテンツの再生中断を指示する中断指示手段と、
前記再生中断指示に応じて前記録画装置から出力された前記映像コンテンツの再生中断点の情報を受信し、記憶する中断点受信手段と、
記憶された前記中断点の情報を用いて、前記録画装置に前記中断点から前記映像コンテンツの再生を指示する第２の再生指示手段を備える電子機器。
【請求項２】
前記録画装置と無線を介して接続される請求項１に記載の電子機器。
【請求項３】
前記録画装置が機器登録される請求項１または請求項２に記載の電子機器。
【請求項４】
前記請求項１乃至請求項３に記載の電子機器と接続され、前記電子機器から前記映像コンテンツの再生指示を受けた場合に再生を中断し、この再生中断点の情報を前記電子機器に向けて出力する前記録画装置。
【請求項５】
第１の電子機器および第２の電子機器と接続され、前記第１の電子機器から前記映像コンテンツの再生指示を受けた場合に再生を中断し、この第１の電子機器から指示された再生中断点の情報を前記第１の電子機器に向けて出力し、前記第２の電子機器から前記映像コンテンツの再生指示を受けた場合に再生を中断し、この第２の電子機器から指示された再生中断点の情報を前記第２の電子機器に向けて出力する録画装置。
【請求項６】
映像コンテンツが録画された録画装置に前記映像コンテンツの再生を指示するステップと、
前記映像コンテンツの再生中断を指示するステップと、
前記再生中断指示に応じて前記録画装置から出力された前記映像コンテンツの再生中断点の情報を受信し、記憶するステップと、
記憶された前記中断点の情報を用いて、前記録画装置に前記中断点から前記映像コンテンツの再生を指示するステップを備える電子機器の制御方法。
【請求項７】
映像コンテンツが録画された録画装置に前記映像コンテンツの再生を指示するステップと、
前記映像コンテンツの再生中断を指示するステップと、
前記再生中断指示に応じて前記録画装置から出力された前記映像コンテンツの再生中断点の情報を受信し、記憶するステップと、
記憶された前記中断点の情報を用いて、前記録画装置に前記中断点から前記映像コンテンツの再生を指示するステップを備え、電子機器を制御する電子機器の制御プログラム。
【発明の詳細な説明】
【技術分野】
【０００１】
本発明の実施形態は、電子機器、電子機器の制御方法、電子機器の制御プログラム、録画装置に関する。
【背景技術】
【０００２】
近年、録画装置が普及し、ユーザは、録画装置に録画された映像コンテンツを簡易に視聴することが可能になっている。
【０００３】
また、録画装置が携帯端末等の電子機器と接続され、例えば、電子機器が録画装置に録画された映像コンテンツの再生等を指示することが可能になっている。
【０００４】
また、録画装置には、映像コンテンツの再生が中断指示された場合に、再生中断点を記憶し、この再生中断点から、再び、映像コンテンツの再生を開始することが可能なものもある。
【０００５】
しかし、一般に、映像コンテンツの再生が中断指示されると、録画装置に記憶される再生中断点は、指示の度に、都度、変更されてしまうため、録画装置に記憶された映像コンテンツの再生を、複数の電子機器に対応した再生中断点から行うことはできなかった。
【０００６】
このため、録画装置に記憶された映像コンテンツの再生を、複数の電子機器に対応した再生中断点から行えるようにすることが課題になっていた。
【先行技術文献】
【特許文献】
【０００７】
【特許文献１】特開２００６−５７５９号公報
【特許文献２】特開２０１０−２０５３３１号公報
【発明の概要】
【発明が解決しようとする課題】
【０００８】
録画装置に記憶された映像コンテンツの再生を、複数の電子機器に対応した再生中断点から行えるようにすることが課題になっていた。
【課題を解決するための手段】
【０００９】
実施形態の電子機器は、映像コンテンツが録画された録画装置に前記映像コンテンツの再生を指示する第１の再生指示手段を備える。
【００１０】
また、前記映像コンテンツの再生中断を指示する中断指示手段を備える。
【００１１】
また、前記再生中断指示に応じて前記録画装置から出力された前記映像コンテンツの再生中断点の情報を受信し、記憶する中断点受信手段を備える。
【００１２】
また、記憶された前記中断点の情報を用いて、前記録画装置に前記中断点から前記映像コンテンツの再生を指示する第２の再生指示手段を備える。
【図面の簡単な説明】
【００１３】
【図１】実施形態に係わる複数の電子機器（端末）と録画装置を構成するシステムを示す図。
【図２】実施形態に係わる複数の電子機器（端末）と録画装置の動作を示す図。
【図３】実施形態に係わる複数の電子機器（端末）と録画装置の動作を説明するフローチャート。
【図４】実施形態に係わる録画装置において、複数の電子機器（端末）に指示された再生や再生中断、再生中断点からの再生を行うようすを示す図。
【図５】他の実施形態に係わる電子機器（端末）の例を示す図。
【発明を実施するための形態】
【００１４】
以下、図面を参照し、実施の形態を説明する。
【００１５】
図１は、実施形態に係わる複数の電子機器（端末）と録画装置を構成するシステムを示す図である。
【００１６】
録画装置（ＨＤＤレコーダ）２は、特に図示しないが、例えば、デジタル放送を受信し、放送番組等の映像コンテンツを録画することが可能である。また、同様に、インターネットやＤＶＤ等から送信された映像コンテンツを録画することが可能である。
【００１７】
また、図１に示すように、録画装置（ＨＤＤレコーダ）２は、例えば、映像表示装置（テレビ）１と接続され、録画装置（ＨＤＤレコーダ）２に録画された映像コンテンツを出力表示することができる。
【００１８】
また、ここでは、録画装置（ＨＤＤレコーダ）２は、例えば、Ｗｉ−Ｆｉアクセスポイント３等の無線中継装置を介して、電子機器（端末Ａ（スマートフォン）４）や電子機器（端末Ｂ（タブレットＰＣ）５）等の複数の電子機器と、例えば、無線で接続されている。
【００１９】
すなわち、この実施形態においては、例えば、テレビ番組等の映像コンテンツを録画し、再生する録画装置（ＨＤＤレコーダ）２と、この録画装置（ＨＤＤレコーダ）２の映像を表示出力可能な映像表示装置（テレビ）１と、例えば、録画装置（ＨＤＤレコーダ）２及び映像表示装置（テレビ）１を操作可能なアプリケーションを搭載した複数の電子機器（端末Ａ（スマートフォン）４）や電子機器（端末Ｂ（タブレットＰＣ）５）等と、録画装置（ＨＤＤレコーダ）２、映像表示装置（テレビ）１、複数の電子機器間でＷｉ−Ｆｉ等で無線通信が可能なＷｉ−Ｆｉアクセスポイント（無線中継装置）３を備えたシステムが構成される。
【００２０】
そして、例えば、録画装置（ＨＤＤレコーダ）２に録画された映像コンテンツ（テレビ放送番組等）を再生中に、再生中断した時の再生レジュームポイントを、複数の電子機器毎に、それぞれの電子機器固有の再生レジュームポイントを記憶する。
【００２１】
そして、複数の電子機器毎に記憶された、それぞれの電子機器固有の再生レジュームポイントから映像コンテンツを再生できようにする。
【００２２】
また、この実施形態においては、他の端末で同じ映像コンテンツ（テレビ放送番組等）の再生と再生中断指示がされても、個別の電子機器毎に記憶された電子機器固有の再生レジュームポイントから再生指示を行えるようにする。
【００２３】
図２は、実施形態に係わる複数の電子機器（端末）と録画装置の動作を示す図である。
【００２４】
この実施形態に係る電子機器は、映像コンテンツが録画された録画装置（ＨＤＤレコーダ）２に、映像コンテンツの再生を指示する第１の再生指示手段を備える。
【００２５】
第１の再生指示手段は、例えば、ユーザにより、電子機器（端末Ａ（スマートフォン）４）や電子機器（端末Ｂ（タブレットＰＣ）５）の操作部が操作され、再生指示信号を出力する信号出力部である（図示せず）。
【００２６】
また、上記映像コンテンツの再生中断を指示する中断指示手段を備える。この中断指示手段も、例えば、ユーザにより、電子機器（端末Ａ（スマートフォン）４）や電子機器（端末Ｂ（タブレットＰＣ）５）の操作部が操作され、中断指示信号を出力する信号出力部である（図示せず）。
【００２７】
また、上記再生中断指示に応じて上記録画装置（ＨＤＤレコーダ）２から出力された上記映像コンテンツの再生中断点の情報を受信し、記憶する中断点受信手段を備える。この中断点受信手段は、例えば、電子機器（端末Ａ（スマートフォン）４）や電子機器（端末Ｂ（タブレットＰＣ）５）に設けられる信号受信部および半導体メモリ等の記憶部である（図示せず）。
【００２８】
また、記憶部に記憶された上記中断点の情報を用いて、上記録画装置（ＨＤＤレコーダ）２に上記中断点から上記映像コンテンツの再生を指示する第２の再生指示手段を備える。この第２の再生指示手段は、例えば、ユーザにより、電子機器（端末Ａ（スマートフォン）４）や電子機器（端末Ｂ（タブレットＰＣ）５）の操作部が操作され、再生指示信号を出力する信号出力部である（図示せず）。
【００２９】
また、この実施形態に係る録画装置（例えば、録画装置（ＨＤＤレコーダ）２）は、第１の電子機器（例えば、端末Ａ（スマートフォン）４）および第２の電子機器（例えば、端末Ｂ（タブレットＰＣ）５）と接続され、上記第１の電子機器（例えば、端末Ａ（スマートフォン）４）から上記映像コンテンツの再生指示を受けた場合に再生を中断し、この第１の電子機器（例えば、端末Ａ（スマートフォン）４）から指示された再生中断点の情報を上記第１の電子機器（例えば、端末Ａ（スマートフォン）４）に向けて出力する。
【００３０】
また、上記第２の電子機器（例えば、端末Ｂ（タブレットＰＣ）５）から上記映像コンテンツの再生指示を受けた場合に再生を中断し、この第２の電子機器（例えば、端末Ｂ（タブレットＰＣ）５）から指示された再生中断点の情報を上記第２の電子機器（例えば、端末Ｂ（タブレットＰＣ）５）に向けて出力する。
【００３１】
そして、この実施形態においては、図２に示すように、例えば、ユーザ操作により、電子機器（端末Ａ）４に録画装置２が機器登録される（２１）。
【００３２】
そして、電子機器（端末Ａ（スマートフォン）４）から録画装置（ＨＤＤレコーダ）２に向けて、映像コンテンツ（録画番組Ｘ）の再生指示が送信され、録画装置（ＨＤＤレコーダ）２で受信される（２２）。
【００３３】
録画装置（ＨＤＤレコーダ）２は、この再生指示を受け、映像コンテンツ（録画番組Ｘ）の再生を開始する。この映像コンテンツ（録画番組Ｘ）は、例えば、映像表示装置（テレビ）１に表示出力される。
【００３４】
続いて、電子機器（端末Ａ（スマートフォン）４）から録画装置（ＨＤＤレコーダ）２に向けて、映像コンテンツ（録画番組Ｘ）の再生中断指示が送信され、録画装置（ＨＤＤレコーダ）２で受信される（２３）。
【００３５】
録画装置（ＨＤＤレコーダ）２は、この再生中断指示を受け、映像コンテンツ（録画番組Ｘ）の再生を中断する。このとき、映像コンテンツ（録画番組Ｘ）の再生中断点（再生レジュームポイント）は、「Ｙ」である。
【００３６】
そして、録画装置（ＨＤＤレコーダ）２は、電子機器（端末Ａ（スマートフォン）４）に向けて、上記再生レジュームポイント（再生中断点）「Ｙ」を電子機器（端末Ａ）４に向けて送信する（２４）。
【００３７】
電子機器（端末Ａ（スマートフォン）４）は、この録画装置（ＨＤＤレコーダ）２から送信された再生レジュームポイント（再生中断点）「Ｙ」を受信し、図示しない記憶部に記憶する。
【００３８】
このとき、映像コンテンツ（録画番組Ｘ）は、再生中断点（再生レジュームポイント）「Ｙ」で再生が中断されている。
【００３９】
そして、再度、電子機器（端末Ａ（スマートフォン）４）がユーザにより操作され、電子機器（端末Ａ（スマートフォン）４）から録画装置（ＨＤＤレコーダ）２に向けて、電子機器（端末Ａ（スマートフォン）４）に記憶された再生レジュームポイント「Ｙ」から映像コンテンツ（録画番組Ｘ）の再生指示が送信され、録画装置（ＨＤＤレコーダ）２で受信される（２５）。
【００４０】
録画装置（ＨＤＤレコーダ）２は、この再生レジュームポイント「Ｙ」からの再生指示を受け、映像コンテンツ（録画番組Ｘ）の再生を開始する。
【００４１】
また、この実施形態においては、例えば、ユーザ操作により、端末Ｂ５に録画装置２が機器登録される（３１）。
【００４２】
そして、電子機器（端末Ｂ（タブレットＰＣ）５）から録画装置（ＨＤＤレコーダ）２に向けて、映像コンテンツ（録画番組Ｘ）の再生指示が送信され、録画装置（ＨＤＤレコーダ）２で受信される（３２）。
【００４３】
録画装置（ＨＤＤレコーダ）２は、この再生指示を受け、映像コンテンツ（録画番組Ｘ）の再生を開始する。この映像コンテンツ（録画番組Ｘ）は、例えば、映像表示装置（テレビ）１に表示出力される。
【００４４】
続いて、電子機器（端末Ｂ（タブレットＰＣ）５）から録画装置（ＨＤＤレコーダ）２に向けて、映像コンテンツ（録画番組Ｘ）の再生中断指示が送信され、録画装置（ＨＤＤレコーダ）２で受信される（３３）。
【００４５】
録画装置（ＨＤＤレコーダ）２は、この再生中断指示を受け、映像コンテンツ（録画番組Ｘ）の再生を中断する。このとき、映像コンテンツ（録画番組Ｘ）の再生中断点（再生レジュームポイント）は、「Ｚ」である。
【００４６】
そして、録画装置（ＨＤＤレコーダ）２は、電子機器（端末Ｂ（タブレットＰＣ）５）に向けて、上記再生レジュームポイント（再生中断点）「Ｚ」を電子機器（端末Ａ）４に向けて送信する（３４）。
【００４７】
電子機器（端末Ｂ（タブレットＰＣ）５）は、この録画装置（ＨＤＤレコーダ）２から送信された再生レジュームポイント（再生中断点）「Ｚ」を受信し、図示しない記憶部に記憶する。
【００４８】
このとき、映像コンテンツ（録画番組Ｘ）は、再生中断点（再生レジュームポイント）「Ｚ」で再生が中断されている。
【００４９】
そして、再度、電子機器（端末Ｂ（タブレットＰＣ）５）がユーザにより操作され、電子機器（端末Ｂ（タブレットＰＣ）５）から録画装置（ＨＤＤレコーダ）２に向けて、電子機器（端末Ｂ（タブレットＰＣ）５）に記憶された再生レジュームポイント「Ｚ」から映像コンテンツ（録画番組Ｘ）の再生指示が送信され、録画装置（ＨＤＤレコーダ）２で受信される（３５）。
【００５０】
録画装置（ＨＤＤレコーダ）２は、この再生レジュームポイント「Ｚ」からの再生指示を受け、映像コンテンツ（録画番組Ｘ）の再生を開始する。
【００５１】
なお、上記第１の電子機器（例えば、端末Ａ（スマートフォン）４）および第２の電子機器（例えば、端末Ｂ（タブレットＰＣ）５）は一例であり、両者が入れ替わったり、他の電子機器が接続されたりしても良い。
【００５２】
図３は、実施形態に係わる複数の電子機器（端末）と録画装置の動作を説明するフローチャートである。
【００５３】
ステップＳ１００は、ここでの開始ステップである。続いて、ステップＳ１０１に進む。
【００５４】
ステップＳ１０１は、電子機器（端末Ａ４（ユーザＡ）、端末Ｂ５（ユーザｂ）等）に、録画装置２を機器登録するステップである。続いて、ステップＳ１０２に進む。
【００５５】
ステップＳ１０２は、ユーザ操作により、電子機器（端末Ａ）４は録画装置２に向け、映像コンテンツ（録画番組Ｘ）の「再生開始」指示を送信するステップである。このとき、録画装置２は「再生開始」指示を受信し、映像コンテンツ（録画番組Ｘ）の再生を開始する。続いて、ステップＳ１０３に進む。
【００５６】
ステップＳ１０３は、電子機器（端末Ａ）４は、録画装置２に「再生中断」指示を送信するステップである。続いて、ステップＳ１０４に進む。
【００５７】
ステップＳ１０４は、録画装置２は電子機器（端末Ａ）４から送信された「再生中断」指示を受信し、映像コンテンツ（録画番組Ｘ）を「Ｙ点」で「再生中断」するステップである。続いて、ステップＳ１０５に進む。
【００５８】
ステップＳ１０５は、録画装置２は、電子機器（端末Ａ）４に向け、「再生中断」された映像コンテンツの再生レジュームポイント「Ｙ」を送信するステップである。続いて、ステップＳ１０６に進む。
【００５９】
ステップＳ１０６は、電子機器（端末Ａ）４は、映像コンテンツの再生レジュームポイント「Ｙ」を受信し、記憶部（図示せず）に記憶するステップである。続いて、ステップＳ１０７に進む。
【００６０】
ステップＳ１０７は、ユーザ操作により、端末Ｂ５は録画装置２に向け、映像コンテンツ（録画番組Ｘ）の「再生開始」指示を送信するステップである。このとき、録画装置２は「再生開始」指示を受信し、映像コンテンツ（録画番組Ｘ）の再生を開始する。続いて、ステップＳ１０８に進む。
【００６１】
ステップＳ１０８は、端末Ｂ５は録画装置２に、「再生中断」指示を送信するステップである。続いて、ステップＳ１０９に進む。
【００６２】
ステップＳ１０９は、録画装置２は端末Ｂ５から送信された「再生中断」指示を受信し、映像コンテンツ（録画番組Ｘ）を「Ｚ点」で「再生中断」するステップである。続いて、ステップＳ１１０に進む。
【００６３】
ステップＳ１１０は、録画装置２は、端末Ｂ５に向け、「再生中断」された映像コンテンツの再生レジュームポイント「Ｚ」を送信するステップである。続いて、ステップＳ１１１に進む。
【００６４】
ステップＳ１１１は、端末Ｂ５は、映像コンテンツの再生レジュームポイント「Ｚ」を受信し、記憶部（図示せず）に記憶するステップである。続いて、ステップＳ１１２に進む。
【００６５】
ステップＳ１１２は、ユーザ操作により、電子機器（端末Ａ）４は録画装置２に向け、映像コンテンツ（録画番組Ｘ）を再生レジュームポイント「Ｙ」から「再生開始」指示を送信するステップである。続いて、ステップＳ１１３に進む。
【００６６】
ステップＳ１１３は、録画装置２は指示された再生レジュームポイント「Ｙ」から、映像コンテンツ（録画番組Ｘ）の再生を開始するステップである。続いて、ステップＳ１１４に進む。
【００６７】
ステップＳ１１４は、ユーザ操作により、端末Ｂ５は録画装置２に向け、映像コンテンツ（録画番組Ｘ）を再生レジュームポイント「Ｚ」から「再生開始」の指示を送信するステップである。続いて、ステップＳ１１５に進む。
【００６８】
ステップＳ１１５は、録画装置２は指示された再生レジュームポイント「Ｚ」から、映像コンテンツ（録画番組Ｘ）の再生を開始するステップである。続いて、ステップＳ１１６に進む。
【００６９】
ステップＳ１１６は、終了ステップであり、ここでの処理は終了する。
【００７０】
図４は、実施形態に係わる録画装置において、複数の電子機器（端末）に指示された再生や再生中断、再生中断点からの再生を行うようすを示す図である。
【００７１】
図４（ａ）は、電子機器（端末Ａ）４から録画装置２に、映像コンテンツ（録画番組Ｘ）の最初（４１）からの再生を指示し、「Ｙ点」（４２）で再生中断指示が行なわれたようすを示している。ここでは、映像コンテンツ（録画番組Ｘ）は、映像コンテンツ（録画番組Ｘ）の最初（４１）から再生を開始し、「Ｙ点」（４２）で再生が中断される。
【００７２】
図４（ｂ）は、電子機器（端末Ａ）４から録画装置２に、映像コンテンツ（録画番組Ｘ）の「Ｙ点」（４２）からの再生指示が行なわれたようすを示している。ここでは、映像コンテンツ（録画番組Ｘ）は、映像コンテンツ（録画番組Ｘ）の「Ｙ点」（４２）から再生が開始される。
【００７３】
図４（ｃ）は、電子機器（端末Ｂ）５から録画装置２に、映像コンテンツ（録画番組Ｘ）の最初（４１）からの再生を指示し、「Ｚ点」（４３）で再生中断指示が行なわれたようすを示している。ここでは、映像コンテンツ（録画番組Ｘ）は、映像コンテンツ（録画番組Ｘ）の最初（４１）から再生を開始し、「Ｚ点」（４３）で再生が中断される。
【００７４】
図４（ｄ）は、電子機器（端末Ｂ）５から録画装置２に、映像コンテンツ（録画番組Ｘ）の「Ｚ点」（４３）からの再生指示が行なわれたようすを示している。ここでは、映像コンテンツ（録画番組Ｘ）は、映像コンテンツ（録画番組Ｘ）の「Ｚ点」（４３）から再生が開始される。
【００７５】
なお、上記電子機器（端末Ａ）４から録画装置２に指示される映像コンテンツ（録画番組Ｘ）の再生や再生中断、再生中断点からの再生指示と、上記電子機器（端末Ｂ）５から録画装置２に指示される映像コンテンツ（録画番組Ｘ）の再生や再生中断、再生中断点からの再生指示は、重複して行なうことも可能である。
【００７６】
図５は、他の実施形態に係わる電子機器（端末）の例を示す図である。
【００７７】
図５に示すように、他の実施形態として、例えば、電子機器（端末Ｂ、タブレットＰＣ）５を複数のユーザで共有できるように構成することも可能である。
【００７８】
このとき、例えば、同じ端末（電子機器５）で、ユーザ毎の個別再生レジュームポイントを記憶させる場合は、例えば、端末（電子機器５）に記憶された録画装置２の操作アプリケーションを起動させる際に、例えば、ＩＤとＰａｓｓｗｏｒｄでユーザを識別させ、ユーザ毎の個別再生レジュームポイントを、個別ログインによって管理するようにしても良い。
【００７９】
すなわち、上記のように、ユーザ個別の端末（電子機器４、電子機器５等）にユーザ毎の個別再生レジュームポイントを記憶させることにより、例えば、録画装置の最終レジュームポイントが変更されても、ユーザが使用する端末毎に個別の再生レジュームポイントから映像コンテンツの再生や再生中断、中断された映像コンテンツの再生指示を行うことが可能となる。
【００８０】
すなわち、この実施形態においては、電子機器（端末Ａ（スマートフォン）４、端末Ｂ（タブレットＰＣ）５等）は、映像コンテンツが録画された録画装置に映像コンテンツの再生を指示する第１の再生指示手段を備える。
【００８１】
また、映像コンテンツの再生中断を指示する中断指示手段を備える。
【００８２】
また、再生中断指示に応じて録画装置から出力された映像コンテンツの再生中断点の情報を受信し、記憶する中断点受信手段を備える。
【００８３】
また、記憶された中断点の情報を用いて、録画装置に中断点から映像コンテンツの再生を指示する第２の再生指示手段を備える。
【００８４】
また、電子機器（端末Ａ（スマートフォン）４、端末Ｂ（タブレットＰＣ）５等）は、録画装置と無線を介して接続される。
【００８５】
また、電子機器（端末Ａ（スマートフォン）４、端末Ｂ（タブレットＰＣ）５等）は、録画装置２が機器登録される。
【００８６】
また、録画装置２は、電子機器（端末Ａ（スマートフォン）４、端末Ｂ（タブレットＰＣ）５等）と接続され、電子機器（端末Ａ（スマートフォン）４、端末Ｂ（タブレットＰＣ）５等）から映像コンテンツの再生指示を受けた場合に再生を中断し、この再生中断点の情報を電子機器（端末Ａ（スマートフォン）４、端末Ｂ（タブレットＰＣ）５等）に向けて出力する。
【００８７】
また、録画装置２は、第１の電子機器および第２の電子機器（電子機器（端末Ａ（スマートフォン）４、端末Ｂ（タブレットＰＣ）５等））と接続され、第１の電子機器から映像コンテンツの再生指示を受けた場合に再生を中断し、この第１の電子機器から指示された再生中断点の情報を第１の電子機器に向けて出力し、第２の電子機器から映像コンテンツの再生指示を受けた場合に再生を中断し、この第２の電子機器から指示された再生中断点の情報を第２の電子機器に向けて出力する。
【００８８】
上記のように構成することによって、この実施形態においては、録画装置に記憶された映像コンテンツの再生を、複数の電子機器に対応した再生中断点から行えるようにすることが可能になる。
【００８９】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９０】
なお、上記実施形態は、記述そのものに限定されるものではなく、実施段階では、その趣旨を逸脱しない範囲で、構成要素を種々変形して具体化することが可能である。
【００９１】
また、上記実施形態に開示されている複数の構成要素の適宜な組み合せにより種々の発明を形成できる。
【００９２】
例えば、実施形態に示される全構成要素から幾つかの構成要素を削除してもよい。更に、異なる実施形態に亘る構成要素を適宜組み合せてもよい。
【符号の説明】
【００９３】
１…映像表示装置、２…録画装置、３…Ｗｉ−Ｆｉアクセスポイント（無線中継装置）、４…電子機器（スマートフォン）、５…電子機器（タブレットＰＣ）。
【図１】
2013251767.tif 000003
【図２】
2013251767.tif 000004
【図３】
2013251767.tif 000005
【図４】
2013251767.tif 000006
【図５】
2013251767.tif 000007